(57)【要約】【課題】  加熱台の大きさに対して、セット可能な最大容量の深鍋とは別に、これよりも小容量の深鍋をセットして所望の鍋料理を適切に行うことができるようにしたグリル鍋を提供することを目的とする。【課題】  調理鍋と、該調理鍋が収納セットされる加熱台と、該加熱台の内側底部に設置され、上記調理鍋の底面に接触して上記調理鍋を加熱する電熱部とを備えてなるグリル鍋において、上記調理鍋が深鍋であって、該深鍋の外周には所定幅の鍔部が設けられており、該深鍋を上記加熱台に収納セットした状態において上記加熱台の側壁部との間が当該鍔部により覆われるようにした。  このような構成によれば、基本となる加熱台のサイズが、上述した大容量サイズの深鍋に対応したものであったとしても、上記鍔部の幅を所望の大きさに設定することにより、同大容量サイズの深鍋に比べて所望の小さい小容量サイズの深鍋を掛けることが可能となる。【選択図】        図１
2005342416.tif 000002
【特許請求の範囲】
【請求項１】
調理鍋と、該調理鍋が収納セットされる加熱台と、該加熱台の内側底部に設置され、上記調理鍋の底面に接触して上記調理鍋を加熱する電熱部とを備えてなるグリル鍋において、上記調理鍋が深鍋であって、該深鍋の外周には所定幅の鍔部が設けられており、該深鍋を上記加熱台に収納セットした状態において上記加熱台の側壁部との間が当該鍔部により覆われるように構成されていることを特徴とするグリル鍋。
【請求項２】
鍔部の外周は、加熱台の側壁部上方まで達して、その内側に加熱台の側壁部との間で保熱空間を形成していることを特徴とする請求項１記載のグリル鍋。
【請求項３】
鍔部を形成するに当り、深鍋の側壁部を断面逆Ｕ字状に形成し、その内側に深鍋の側壁部との間で断熱空間を形成していることを特徴とする請求項１又は２記載のグリル鍋。
【請求項４】
鍔部は、深鍋の側壁部上端よりも下方で、深鍋底部よりも上方に位置していることを特徴とする請求項１，２又は３記載のグリル鍋。
【請求項５】
電熱部は、所定の外径のヒータプレートにより構成されている一方、該ヒータプレートに当接する深鍋の底部の外径は、同ヒータプレートの外径よりも小さいが、ヒータプレート内のヒータ線の直径よりは大きく形成されていることを特徴とする請求項１，２，３又は４記載のグリル鍋。
【発明の詳細な説明】
【技術分野】
【０００１】
本願発明は、深鍋を有するグリル鍋の構成に関するものである。
【背景技術】
【０００２】
一般にグリル鍋では、深鍋が備えられており、各種の鍋料理を行えるようになっている。
【０００３】
そして、従来、この深鍋は、大勢の場合にも対応できるように、加熱台の大きさに対して使用可能な最大容量サイズの鍋がセットされているのが通常であった（特許文献１）。
【０００４】
【特許文献１】特開平１０−３３３７１号（第１−４頁、図１−５）
【発明の開示】
【発明が解決しようとする課題】
【０００５】
しかし、以上のような構成の場合、確かにパーティーなどの大勢の人数に対応できる点で便利である反面、例えばパーティーが終わって夫婦２人の生活に戻った時など、対象人数が減少した時には、大きな鍋で少量の調理を行わなければならず、せっかくの深鍋が調理プレート状態となってしまい、適切な鍋料理を行うことができなくなってしまう欠点があった。
【０００６】
また、必要以上に大きな鍋を加熱するということは、消費電力の点でも無駄が多く、加熱効率も悪い。
【０００７】
本願発明は、このような事情に基いてなされたもので、加熱台の大きさに対して、セット可能な最大容量の深鍋とは別に、これよりも小容量の深鍋をセットして所望の鍋料理を適切に行うことができるようにしたグリル鍋を提供することを目的とするものである。
【課題を解決するための手段】
【０００８】
本願発明は、上記の目的を達成するために、次のような課題解決手段を備えて構成されている。
【０００９】
（１）  第１の課題解決手段
この発明の第１の課題解決手段は、調理鍋と、該調理鍋が収納セットされる加熱台と、該加熱台の内側底部に設置され、上記調理鍋の底面に接触して上記調理鍋を加熱する電熱部とを備えてなるグリル鍋において、上記調理鍋が深鍋であって、該深鍋の外周には所定幅の鍔部が設けられており、該深鍋を上記加熱台に収納セットした状態において上記加熱台の側壁部との間が当該鍔部により覆われるように構成されていることを特徴としている。
【００１０】
このような構成によれば、例えば基本となる加熱台のサイズが、上述した大容量サイズの深鍋に対応したものであったとしても、上記鍔部の幅を所望の大きさに設定することにより、同大容量サイズの深鍋に比べて所望の小さい小容量サイズの深鍋を掛けることが可能となり、少人数に対応した適切な鍋料理を何らの支障なく行うことができるようになる。
【００１１】
したがって、調理時の加熱効率も向上し、消費電力の無駄もなくなる。
【００１２】
（２）  第２の課題解決手段
この発明の第２の課題解決手段は、上記第１の課題解決手段の構成において、鍔部の外周は、加熱台の側壁部上方まで達して、その内側に加熱台の側壁部との間で保熱空間を形成していることを特徴としている。
【００１３】
このような構成によれば、鍔部内側の保熱空間により、電熱部および深鍋側壁部からの熱が効率良く保持されて、深鍋の加熱効率が向上する。
【００１４】
（３）  第３の課題解決手段
この発明の第３の課題解決手段は、上記第１又は第２の課題解決手段の構成において、鍔部を形成するに当り、深鍋の側壁部を断面逆Ｕ字状に形成し、その内側に深鍋の側壁部との間で断熱空間を形成していることを特徴としている。
【００１５】
このような構成によれば、同側壁部内側の断熱空間により、深鍋側壁部からの熱が効率良く断熱されて、鍔部を介して外部へ熱が逃げるのを防止するとともに、鍔部が熱くなるのを抑制することができる。
【００１６】
（４）  第４の課題解決手段
この発明の第４の課題解決手段は、上記第１，第２又は第３の課題解決手段の構成において、鍔部は、深鍋の側壁部上端よりも下方で、深鍋の底部よりも上方に位置していることを特徴としている。
【００１７】
このような構成によると、深鍋から吹きこぼれた煮汁などが凹溝形状となった鍔部で受け止められ、外部にこぼれるようなことを防止することができる。
【００１８】
（５）  第５の課題解決手段
この発明の第５の課題解決手段は、上記第１，第２，第３又は第４の課題解決手段の構成において、電熱部は、所定の外径のヒータプレートにより構成されている一方、該ヒータプレートに当接する深鍋の底部の外径は、同ヒータプレートの外径よりも小さいが、ヒータプレート内のヒータ線の直径よりは大きく形成されていることを特徴としている。
【００１９】
このような構成によれば、上記小容量の深鍋は、上記大容量の深鍋に対応した大外径で、しかもヒータ線が同深鍋の底部外周よりも内側に位置するヒータプレートの加熱面に適切に対応し、極めて熱効率良く加熱され、高火力が要求される調理にも十分に応えられるようになる。
【発明の効果】
【００２０】
以上の結果、本願発明のグリル鍋によると、大容量／小容量何れの深鍋にも対応して、適切かつ熱効率の高い鍋料理を実現することが可能となり、非常に便利になる。
【発明を実施するための最良の形態】
【００２１】
（最良の実施の形態１）
図１〜図４は、本願発明の最良の実施の形態１に係るグリル鍋の具体的な構成を示している。
【００２２】
このグリル鍋は、先ず大きく分けて、加熱台１と、該加熱台１内に収納される調理鍋２と、該調理鍋２の開口部の上方に被せられる蓋３とから構成されている。
【００２３】
加熱台１は、最外部に位置し、底部裏面側に脚部１ａ，１ａ・・・を、また上部外周側に断面逆Ｕ字状の側壁部１ｂを、それぞれ有する合成樹脂製の本体ケース１１と、該本体ケース１１の皿上の底部（皿状の本体部の上面側）に断熱支持部材４，４・・・を介して支持された受皿形状の金属製の遮熱板５と、該遮熱板５の皿状の底部５ａ上に設けられたフラットタイプのヒータプレート（電熱部）６とから構成されている。ヒータプレート６内には、ヒータ線７がヒータプレート６の外径φよりも小さい直径φ3で同心リング状に埋設されている。
【００２４】
上記ヒータプレート６は、図示のように上記加熱台１の本体ケース１１およびそれに対応した遮熱板５の大きさ（内径）に対応した外径φを有し、その上面６ａ側を少し緩やかな球面形状に形成している。そして、その下面６ｂ側中央部を所定の外径で下方に円柱体構造に突出させ、同突出部６ｃを介して断熱性良く遮熱板５との間に断熱用の隙間８を空けて支持されている。
【００２５】
この実施の形態の場合、上記調理鍋２には、例えば鍋料理に適した深鍋が採用されており、しかも該深鍋として、例えば図４に示すような上記加熱台１の大きさに対応した最大容量サイズの大径の深鍋２ａと、例えば図１に示すような上記大径の深鍋２ａよりも小径の小容量サイズの深鍋２ｂの両方を任意に使用して鍋料理を行うことができるように構成されている。
【００２６】
そして、上記ヒータプレート６の外径φは、例えば図４に示すように、底部２３の外径がφ1の上記大径の深鍋２ａを使用するのに十分な寸法のものとなっている。
【００２７】
大容量大径の深鍋２ａの側壁部２１は、例えば図４に示すように、従来同様の蓋載置用の係合段部２１ｃを有する断面逆Ｕ字状のスカート構造に形成され、上記加熱台１の本体ケース１１上部の断面逆Ｕ字状の側壁部１ｂの頂部に対して図示のように対応するようになっている。本体ケース１１上部の側壁部１ｂは、本体ケース底部まで連続する内側壁１１ａと該内側壁１１ａの上端から外方に曲成されたスカート状の外側壁１１ｂとを断面逆Ｕ字形状に連設して、その内側に断熱空間を形成している。
【００２８】
一方、小容量小径の深鍋２ｂは、内周側に蓋載置用の係合段部２１ｃを有する断面逆Ｕ字形状の側壁部２１を有している。該側壁部２１は、鍋底部２３まで連続する内側壁２１ａと該内側壁２１ａの上端から外方に曲成された外側壁２１ｂとを断面逆Ｕ字形状に連設し、その内側に断熱空間２８を形成している。そして、上記側壁部２１の外側壁２１ｂ側の下端には、さらに周方向の全体に亘って所定の幅Ｗ1の鍔部２４が一体に設けられ、その外周端が上方側に逆Ｕ字状に曲成起立されてリブ部２４ａを形成している。このリブ部２４ａは、上記鍔部２４のフラット面よりも所定寸法上方に高く形成され、上記フラット面部分を外側壁２１ｂとの間で吹きこぼれ防止用の凹溝部２５に形成している。この凹溝部２５には、また所定の間隔を保って煮汁又は油切り用の凸条部２７，２７が設けられ、必要に応じて調理物の保温ゾーンとしても利用されるようになっている。
【００２９】
また、上記リブ部２４ａの下面側逆Ｕ字状の開口部は、上記加熱台１側本体ケース１１上部の側壁部１ｂの頂部に臨み、同側壁部１ｂと小径の深鍋２ｂの内側壁２１ａおよび遮熱板５の外周部５ｂとの間の空間２６の上方を鍔部２４で覆うことによって、同空間２６を、上記ヒータプレート６の外周部および小径の深鍋２ｂの内側壁２１ａ全体からの熱を外部に放出させることなく保熱する保熱空間として、また同ヒータプレート６の外周部および小径の深鍋２ｂの内側壁２１ａ全体からの熱、さらには遮熱板５の外周部５ｂからの反射熱が鍔部２４に放射されて、鍔部２４が熱くなっるのを防止する断熱遮断空間として有効に機能させるようになっている。
【００３０】
すなわち、以上のように構成した場合、上記小容量小径の深鍋２ｂの底部２３の外径φ2は、上述した大容量大径の深鍋２ａの底部２３の外径φ1よりも所定寸法小さいので、上記ヒータプレート６の外周部が、図１のように相当幅Ｗ2だけ露出して、本体ケース１１の側壁部１ｂおよび鍔部２４並びに遮熱板５の外周部５ｂ方向に相当量放熱されるが、同熱量は、上記のように保熱および断熱空間２６を利用して、有効に保熱および断熱され、無駄なく活用される。
【００３１】
また、この実施の形態では、上記のように鍔部２４を形成するに当り、深鍋２ｂの側壁部２１を内側壁２１ａと外側壁２１ｂとで断面逆Ｕ字状に形成し、その内側に深鍋２ｂの内側壁２１ａからの放射熱を遮断する断熱空間２８を形成している。
【００３２】
したがって、同断熱空間２８により、さらに深鍋２ｂの内側壁２１ａからの熱が効率良く断熱されて、鍔部２４を介して外部へ熱が逃げるのを防止するとともに、鍔部２４が熱くなるのを抑制することができる。
【００３３】
また上記小容量小径の深鍋２ｂの底部２３の外径φ2は、上述した大容量大径の深鍋２ａの底部２３の外径φ1よりも所定寸法小さく、ヒータプレート６に載置した時に上記ヒータプレート６の外周部が、上記のように相当幅Ｗ2だけ露出するが、この時にも少なくともヒータプレート６内のヒータ線７の直径φ3は当該小径の深鍋２ｂの底部２３の外径φ2よりも所定寸法小さいので、同ヒータ線７は、当該小径の深鍋２ｂの底部２３の外周よりも所定幅Ｗ3は内側に位置して対応し、当該小径の深鍋２ｂを有効に加熱し得るようになっている（φ3＜φ2）。
【００３４】
以上のように、本実施の形態のグリル鍋の構成では、調理鍋と、該調理鍋が収納セットされる加熱台と、該加熱台の内側底部に設置され、上記調理鍋の底面に接触して上記調理鍋を加熱する電熱部とを備えてなるグリル鍋において、上記調理鍋が深鍋であって、該深鍋の外周には所定幅の鍔部が設けられており、該深鍋を上記加熱台に収納セットした状態において上記加熱台の側壁部との間が当該鍔部により覆われるように構成されていることを特徴としている。
【００３５】
このような構成によれば、例えば基本となる加熱台のサイズが、上述した大容量サイズの深鍋に対応したものであったとしても、上記鍔部の幅を所望の大きさに設定することにより、同大容量サイズの深鍋に比べて所望の小さい小容量サイズの深鍋を掛けることが可能となり、少人数に対応した適切な鍋料理を何らの支障なく行うことができるようになる。
【００３６】
したがって、調理時の加熱効率も向上し、消費電力の無駄もなくなる。
【００３７】
また同構成では、上記第１の課題解決手段の構成において、鍔部の外周は、加熱台の側壁部上方まで達して、その内側に加熱台の側壁部との間で保熱空間を形成していることを特徴としている。
【００３８】
このような構成によれば、鍔部内側の保熱空間により、電熱部および深鍋側壁部からの熱が効率良く保持されて、深鍋の加熱効率が向上する。
【００３９】
また同構成では、上述のように鍔部を形成するに当り、深鍋の側壁部を逆Ｕ字状に形成し、その内側に深鍋の側壁部との間で、断熱空間を形成していることを特徴としている。
【００４０】
このような構成によれば、同側壁部内側の断熱空間により、深鍋側壁部からの熱が効率良く断熱されて、鍔部を介して外部へ熱が逃げるのを防止するとともに、鍔部が熱くなるのを抑制することができる。
【００４１】
また同構成では、上記鍔部は、深鍋の側壁部上端よりも下方で、深鍋の底部よりも上方に位置していることを特徴としている。
【００４２】
このような構成によると、深鍋から吹きこぼれた煮汁などが凹溝形状となった鍔部で受け止められ、外部にこぼれるようなことを防止することができる。
【００４３】
さらに同構成では、電熱部は、所定の外径のヒータプレートにより構成されている一方、該ヒータプレートに当接する深鍋の底部の外径は、同ヒータプレートの外径よりも小さいが、ヒータプレート内のヒータ線の直径よりは大きく形成されていることを特徴としている。
【００４４】
このような構成によれば、上記小容量の深鍋は、上記大容量の深鍋に対応した大外径で、しかもヒータ線が同深鍋の底部外周よりも内側に位置するヒータプレートの加熱面に適切に対応し、極めて熱効率良く加熱され、高火力が要求される調理にも十分に応えられるようになる。
【００４５】
それらの結果、以上のグリル鍋によると、大容量／小容量何れの深鍋にも対応して、適切かつ熱効率の高い鍋料理を実現することが可能となり、非常に便利になる。
【００４６】
（最良の実施の形態２）
次に図５は、本願発明の最良の実施の形態２に係るグリル鍋の具体的な構成を示している。
【００４７】
上記最良の実施の形態１に係るグリル鍋の構成の場合、大径の深鍋２ａと小径の深鍋２ｂとの各々に対応した大きさの異なる２種類の蓋３，３が必要であり、その分コストが嵩み、保管等取扱上も不便である。
【００４８】
この最良の実施の形態では、そのような点に鑑み、小径の深鍋２ｂの側壁部２１の外周に一体化された鍔部２４外周のリブ部２４ａ部分に、上述した大径の深鍋２ａ用の大径の蓋３の外周縁部３ａが載置係合される係合段部２４ｂを形成し、図示の如く、大径の深鍋２ａ用の蓋３を、小径の深鍋２ｂに対してもそのまま兼用できるようにしたことを特徴とするものである。
【００４９】
このような構成によれば、高価なガラス製の蓋３が１個で足り、コストも削減できるし、保管等の取扱いも容易になる。
【００５０】
（最良の実施の形態３）
次に図６は、本願発明の最良の実施の形態３に係るグリル鍋の具体的な構成を示している。
【００５１】
上記最良の実施の形態２のように構成すると、蓋３が大径のも１個で足りるようになり、非常に便利である。
【００５２】
しかし、一方ガラス製の蓋３は、その径が大きいと相当に重く、若干操作性に欠ける欠点がある。
【００５３】
そこで、この最良の実施の形態３では、上記大径の深鍋２ａに対応した大径の蓋３を、上記小径の深鍋２ｂに対応した小径の蓋３Ａの外周縁３ａに対して、例えばステンレス製の所定の必要幅の環状の枠板３Ｂを嵌合一体化させることによって形成し、嵌合した枠板３Ｂ分だけガラス部を減らして軽量化したことを特徴とするものである。
【００５４】
なお、図６中の符号３ｂは、Ｕ状の嵌合部を、また３ｃは、枠板３Ｂの外周縁を示す。
【００５５】
このような構成によると、大径の蓋３自体を相当に軽くすることができ、操作性が大きく改善される。
【００５６】
また、該構成の場合、上記枠板３Ｂを着脱可能として、枠板３Ｂを外して、上記大径の深鍋２ａの開口部上縁に係合すれば天ぷら料理を行う時の調理物の置き台として利用することも可能である。
【００５７】
（最良の実施の形態４）
次に図７は、本願発明の最良の実施の形態４に係るグリル鍋の具体的な構成を示している。
【００５８】
以上のように、調理鍋と、該調理鍋が収納セットされる加熱台と、該加熱台の内側底部に設置され、上記調理鍋の底面に接触して上記調理鍋を加熱する電熱部とを備えてなるグリル鍋において、上記調理鍋が深鍋であって、該深鍋の外周には所定幅の鍔部が設けられており、該深鍋を上記加熱台に収納セットした状態において上記加熱台の側壁部との間が当該鍔部により覆われるように構成されている場合、例えば基本となる加熱台のサイズが、上述した大容量サイズの深鍋に対応したものであったとしても、上記鍔部の幅を所望の大きさに設定することにより、同大容量サイズの深鍋に比べて所望の小さい小容量サイズの深鍋を掛けることが可能となり、少人数に対応した適切な鍋料理を何らの支障なく行うことができるようになる。
【００５９】
したがって、調理時の加熱効率も向上し、消費電力の無駄もなくなる。
【００６０】
また、その場合において、上述の各実施の形態の構成のように、鍔部の外周が水平に延び、加熱台の側壁部上方まで達して、その内側に加熱台の側壁部との間で保熱および断熱空間を形成するようにすると、同鍔部内側の保熱および断熱空間により、電熱部および深鍋側壁部からの熱が効率良く保持されて、深鍋の加熱効率が向上する。また電熱部および深鍋側壁部からの熱が効率良く断熱されて、鍔部を介して外部へ熱が逃げるのを防止するとともに、鍔部が熱くなるのを抑制することができる。
【００６１】
しかし、上述の各実施の形態のように、鍔部が水平に延設されている場合、その内側の保熱および断熱空間２６が広く、断熱性はともかくとしても保熱性の点では若干問題がある。
【００６２】
そこで、この最良の実施の形態では、上述のごとく小径の深鍋２ｂの断面逆Ｕ字形状の側壁部２１の外側壁２１ｂの下端を水平方向外方に延設することなく、下方側ヒータプレート６の外周縁付近までスカート状に降ろし、その内側に幅の狭い保熱および断熱空間２９を形成する。
【００６３】
このような構成によると、小径の深鍋２ｂの内側壁２１ａおよび小径の深鍋２ｂの底部２３から露出したヒータプレート６の外周部の両者が、直接上記小径の深鍋２ｂの外側壁２１ｂによって囲まれることから、それらの間に形成される上記保熱および断熱空間２９は、極めて保熱性の高いものとなる。
【００６４】
そして、この実施の形態の場合、その上で同外側壁２１ｂと本体ケース１１の側壁部１ｂとの間に、樋構造になった環状の鍔部３０を嵌合し、同様の汁受け機能を果させ、また同様の調理物保温ゾーンとして利用できるようにしている。この樋構造の鍔部３０の外側壁３０ａは、本体ケース１１の側壁部１ｂの頂部に係合して支持される一方、内側壁３０ｂは、小径の深鍋２ｂの外側壁２１ｂの外周面に做って当接支持されるようになっている。そして、その上部側凹溝面３０ｃ上には、同様の煮汁および油切り用の凸条部２７，２７が設けられている。
【００６５】
（最良の実施の形態５）
次に図８は、本願発明の最良の実施の形態５に係るグリル鍋の具体的な構成を示している。
【００６６】
上記各実施の形態のように構成した場合、例えば図４のように、大径の深鍋２ａを使用した時に、吹きこぼれが生じたとしても、小径の深鍋２ｂの時のようには汁受け機能がないから、早めに蓋３を取らないと、外部に吹きこぼれてしまう問題がある。
【００６７】
そこで、この最良の実施の形態の構成では、このような問題を解決するために、大径の深鍋２ａの側壁部２１の内側壁２１ａ上端にあった蓋３の外周縁部３ａ係合用の段部２１ｃを、さらに所定寸法下方に下げて形成し、同側壁部２１の頂部よりも十分に外部への吹きこぼれを生じさせない寸法Ｄだけ低く形成するようにしたことを特徴としている。
【００６８】
したがって、このような構成によれば、従来のような吹きこぼれの問題を解消することができる。
【００６９】
しかも、同構成の場合、さらに上記側壁部２１の内側壁２１ａから外側壁２１ｂに連続する部分の幅および曲率を大きくし、こぼれようとする煮汁が可及的に内側へ戻りやすくなるようにしている。
【００７０】
したがって、より吹きこぼれが生じにくくなる。
【００７１】
（その他の最良の実施の形態）
なお、以上の各最良の実施の形態では、いずれも電熱部にヒータプレートを採用したが、これは例えばインコロイ型の電熱ヒータを同様の条件で各深鍋２ａ，２ｂの底部２３に対応させるようにしてもよいことはもちろんである。
【図面の簡単な説明】
【００７２】
【図１】本願発明の最良の実施の形態１に係るグリル鍋の構成を示す小径小容量の深鍋使用時の断面図である。
【図２】本願発明の最良の実施の形態１に係るグリル鍋の構成を示す小径小容量の深鍋の断面図である。
【図３】本願発明の最良の実施の形態１に係るグリル鍋の構成を示す小径小容量の深鍋の要部の拡大断面図である。
【図４】本願発明の最良の実施の形態１に係るグリル鍋の構成を示す大径大容量の深鍋使用時の断面図である。
【図５】本願発明の最良の実施の形態２に係るグリル鍋の構成を示す小径小容量の深鍋使用時の断面図である。
【図６】本願発明の最良の実施の形態３に係るグリル鍋の構成を示す大径大容量の深鍋使用時の断面図である。
【図７】本願発明の最良の実施の形態４に係るグリル鍋の構成を示す小径小容量の深鍋使用時の断面図である。
【図８】本願発明の最良の実施の形態５に係るグリル鍋の構成を示す大径大容量の深鍋使用時の断面図である。
【符号の説明】
【００７３】
１は加熱台、２は調理鍋、２ａは大径大容量の深鍋、２ｂは小径小容量の深鍋、３は蓋、４は断熱支持部材、５は遮熱板、６はヒータプレート、７はヒータ線である。
【図１】
2005342416.tif 000003
【図２】
2005342416.tif 000004
【図３】
2005342416.tif 000005
【図４】
2005342416.tif 000006
【図５】
2005342416.tif 000007
【図６】
2005342416.tif 000008
【図７】
2005342416.tif 000009
【図８】
2005342416.tif 000010